(57)【要約】  本出願は、香料原材料、香料、香料送達系、並びに、かかる香料原材料、香料、及び／又はかかる香料送達系を含む消費者製品、並びに、かかる香料原材料、香料送達系、及び消費者製品の製造及び／又は使用プロセスに関する。かかる香料原材料、香料、香料送達系、及び消費者製品は、特定の不快な匂いによる影響を低減できる。【特許請求の範囲】
【請求項１】
メントール；オレンジＣＰ；オレンジテルペン；メチルβ−ナフチルケトン；カシュメラン；２  ６ノナジエノールＤＰＧ中１０％；テルピネオール；イソボルニルアセテート；センテナール；イソＥスーパー；プレニルアセテート；β−ピネン；レモンＣＰ；アミルアセテート；アカレア；イオノンγメチル；オクタリノール；４−ｔｅｒｔ−ブチルシクロヘキシルアセテート；ジャバノール；ボルニルプロピオネート；インドレン；リナロール；インドール；プレニルアセテート；スピロガルバノン；（Ｒ）−γ−ウンデカラクトン；ノナラクトン；ペオニル；マグノラン；オレンジテルペン；ヘキサデカノリド；ビサボレン；フルテン；マセノン；シス−３−ヘキセン−１−オール；メロナール；ヘリオナール；ヘキシルサリチレート；フェネチルフェニルアセテート；３，７−ジメチル−１−オクタノール；シクロペントール；メロゾーン；ジメチルベンジルカルビニルアセテート；フェニルエチルイソブチレート；リナリルアセテート；シンナミックアルコール；オクタナール；ベンジルアセテート；ヘキシルアセテート；フロールアセテート；アリルシクロヘキシルプロピオネート；リラール；リグストラール；カンファーガム；セドロール；ヘキサロン；ガラクソリド；トスカノール；ベンジルシンナメート；β−イオノン；ロマノリド；ネロリ；ガルバジン；ボルネオール；環状エチレンドデカンジオエート；アンブレットリド；テルピニルアセテート；ジャスマール；ハバノリド；ヘキシルシンナミックアルデヒド；ノピルアセテート；クロナール；メチルジヒドロジャスモネート；エチル−２−メチルブチレート；γ−ドデカラクトン；フェニルエチルアルコール；イソアンブレットリド；アンベルケタール−ＩＰＭ；α−ピネン；アウランチオール；ゲラニオール；フラネオール；エチル２メチルペンタノエート；シトラール；ゲラニルアセテート；ベンジルサリチレート；シクラビュート；イソオイゲノール；γ−テルピニルアセテート；イソプロピルミリステート；シクロブタネート；ブチルステアレート；サリカニル；メチルアントラニレート；ヘルベトライド；ノナノール；５−アセチル−１，１，２，３，３，６−ヘキサメチルインダン（別名ファントリド）；バニリンイソブチレート；シス−３−ヘキセニルアセテート；５−シクロヘキサデセノン；ユーカリプトール；セドリルアセテート；スチラリルアセテート及びこれらの混合物からなる群から選択される香料材料、並びに／又は、
ａ）２０％ヘキシルシンナミックアルデヒドと、１０％ウンデカラクトンと、０．５％ラウリルアルデヒドと、１０％イソボルニルアセテートと、０．２％スピロガルバノンと、１９．３％イソＥスーパーと、１０％フロールアセテートと、１０％ベルドックスと、２０％フルテンと、を含む、香料、
ｂ）０．２％シンナミックアルコールと、５％ウンデカラクトンと、１％ゲラニルアセテートと、１５％エチレンブラシレートと、２％ゲラニオールと、０．２％メロナールと、３％ハバノリドと、４．２％リナリルアセテートと、０．４％プレニルアセテートと、２％ヘリオナールと、８％イオノンγメチルと、２％ノピルアセテートと、２．１％ベンジルアセテートと、１．６％ヘキシルアセテートと、１％ジメチルベンジルカルビニルアセテートと、１０％メチルジヒドロジャスモネートと、２％リラールと、１％メチルセドリロンと、０．２％ノナラクトンと、０．４％エチル２メチルペンタノエートと、０．３％シトラールと、１０％イソＥスーパーと、２％フェニルエチルアルコールと、４％ヘキシルサリチレートと、６％ピラノールと、０．２％リファロームと、０．８％リグストラールと、０．４％エチル−２−メチルブチレートと、０．２％カンファーガムと、０．２％２  ６ノナジエノールＤＰＧ中１０％と、１０．５％リナロールと、４％オレンジテルペンと、０．１％メチルβ−ナフチルケトンと、を含む、香料、
ｃ）０．４％メントールと、５％γ−テルピニルアセテートと、２％ウンデカラクトンと、３％ハバノリドと、１％プレニルアセテートと、１０％イソボルニルアセテートと、４％イオノンγメチルと、５％β−ピネンと、２％ヘキシルアセテートと、０．５％センテナールと、０．１％スピロガルバノンと、１５．３％メチルジヒドロジャスモネートと、０．５％メロゾーンと、２％ビサボレンと、１％ボルネオールと、１０％イソＥスーパーと、２％環状エチレンドデカンジオエートと、１％アミルアセテートと、３％フルテンと、０．５％アンブレットリドと、０．２％２  ６ノナジエノールＤＰＧ中１０％と、１０％リナロールと、３％テルピニルアセテートと、１０％アカレアと、０．５％メチルβ−ナフチルケトンと、８％オレンジテルペンと、を含む、香料、
ｄ）０．５％メントールと、５％γ−テルピニルアセテートと、１％γ−ノナラクトンと、４％ペオニルと、２％ウンデカラクトンと、３％ヘキサデカノリドと、３％ハバノリドと、１％プレニルアセテートと、１０％イソボルニルアセテートと、４％イオノンγメチルと、５％β−ピネンと、１％ヘキシルアセテートと、０．１％スピロガルバノンと、８％メチルジヒドロジャスモネートと、３％ボルニルプロピオネートと、１％カシュメランと、２％ビサボレンと、１％ボルネオールと、１０％イソＥスーパーと、２％環状エチレンドデカンジオエートと、４％レモンＣＰと、１％アミルアセテートと、３％フルテンと、０．２％２  ６ノナジエノールＤＰＧ中１０％と、１０％リナロールと、２％テルピネオールと、３％テルピニルアセテートと、７％アカレアと、０．２％シス−３−ヘキセン−１−オールと、を含む、香料、
ｅ）０．２％メントールと、５％γ−テルピニルアセテートと、１％γ−ノナラクトンと、４％ペオニルと、２％ウンデカラクトンと、４％３，７−ジメチル−１−オクタノールと、６％ヘキサデカノリドと、１％プレニルアセテートと、５％イソボルニルアセテートと、４％イオノンγメチルと、５％β−ピネンと、１％ヘキシルアセテートと、０．１％スピロガルバノンと、６％メチルジヒドロジャスモネートと、３％ボルニルプロピオネートと、５％４−ｔｅｒｔ−ブチルシクロヘキシルアセテートと、２％カシュメランと、１％ボルネオールと、９．３％イソＥスーパーと、２％環状エチレンドデカンジオエートと、１％アミルアセテートと、３％フルテンと、０．２％２  ６ノナジエノールＤＰＧ中１０％と、７％リナロールと、２％テルピネオールと、０．２％マセノンと、１０％アカレアと、０．２％シス−３−ヘキセン−１−オールと、５％オレンジテルペンと、を含む、香料、
及びこれらの混合物からなる群から選択される香料、を含む、香料組成物。
【請求項２】
香料組成物の総重量に基づいて、少なくとも１０％、好ましくは少なくとも３０％、より好ましくは少なくとも５０％、より好ましくは少なくとも８０％、より好ましくは少なくとも９０％、最も好ましくは少なくとも９５％の前記香料材料及びこれらの混合物を含む、請求項１に記載の香料。
【請求項３】
香料組成物の総重量に基づいて、少なくとも１０％、好ましくは少なくとも４０％、少なくとも５０％、少なくとも６０％、少なくとも７０％、少なくとも８０％、少なくとも９０％、少なくとも９５％の、メントール；オレンジＣＰ；オレンジテルペン；メチルβ−ナフチルケトン；カシュメラン；２  ６ノナジエノールＤＰＧ中１０％；テルピネオール；イソボルニルアセテート；センテナール；イソＥスーパー；プレニルアセテート；β−ピネン；レモンＣＰ；アミルアセテート；アカレア；イオノンγメチル；オクタリノール；４−ｔｅｒｔ−ブチルシクロヘキシルアセテート；ジャバノール；ボルニルプロピオネート；インドレン；リナロール；インドール；プレニルアセテート；スピロガルバノン；（Ｒ）−γ−ウンデカラクトン；ノナラクトン；ペオニル；マグノラン；オレンジテルペン；ヘキサデカノリド；ビサボレン；フルテン；マセノン；シス−３−ヘキセン−１−オール、及びこれらの混合物からなる群から選択される香料材料を含む、請求項１又は２に記載の香料。
【請求項４】
消費者製品であって、該消費者製品の総重量に基づいて、約０．０００１％〜約１００％の、請求項１〜３のいずれか一項に記載の香料、並びに又は、メントール；オレンジＣＰ；オレンジテルペン；メチルβ−ナフチルケトン；カシュメラン；２  ６ノナジエノールＤＰＧ中１０％；テルピネオール；イソボルニルアセテート；センテナール；イソＥスーパー；プレニルアセテート；β−ピネン；レモンＣＰ；アミルアセテート；アカレア；イオノンγメチル；オクタリノール；４−ｔｅｒｔ−ブチルシクロヘキシルアセテート；ジャバノール；ボルニルプロピオネート；インドレン；リナロール；インドール；プレニルアセテート；スピロガルバノン；（Ｒ）−γ−ウンデカラクトン；ノナラクトン；ペオニル；マグノラン；オレンジテルペン；ヘキサデカノリド；ビサボレン；フルテン；マセノン；シス−３−ヘキセン−１−オール；メロナール；ヘリオナール；ヘキシルサリチレート；フェネチルフェニルアセテート；３，７−ジメチル−１−オクタノール；シクロペントール；メロゾーン；ジメチルベンジルカルビニルアセテート；フェニルエチルイソブチレート；リナリルアセテート；シンナミックアルコール；オクタナール；ベンジルアセテート；ヘキシルアセテート；フロールアセテート；アリルシクロヘキシルプロピオネート；リラール；リグストラール、若しくは；カンファーガム；セドロール；ヘキサロン；ガラクソリド；トスカノール；ベンジルシンナメート；β−イオノン；ロマノリド；ネロリオン；ガルバジン；ボルネオール；環状エチレンドデカンジオエート；アンブレットリド；テルピニルアセテート；ジャスマール；ハバノリド；ヘキシルシンナミックアルデヒド；ノピルアセテート；クロナール；メチルジヒドロジャスモネート；エチル−２−メチルブチレート；γ−ドデカラクトン；フェニルエチルアルコール；イソアンブレットリド；アンベルケタール−ＩＰＭ；α−ピネン；アウランチオール；ゲラニオール；フラネオール；エチル２メチルペンタノエート；シトラール；ゲラニルアセテート；ベンジルサリチレート；シクラビュート；イソオイゲノール；γ−テルピニルアセテート；イソプロピルミリステート；シクロブタネート；ブチルステアレート；サリカニル；メチルアントラニレート；ヘルベトライド；ノナノール；５−アセチル−１，１，２，３，３，６−ヘキサメチルインダン（別名ファントリド）；バニリンイソブチレート；シス−３−ヘキセニルアセテート；５−シクロヘキサデセノン；ユーカリプトール；セドリルアセテート；スチラリルアセテート及びこれらの混合物からなる群から選択される香料材料、並びに／又は、
ａ）２０％ヘキシルシンナミックアルデヒドと、１０％ウンデカラクトンと、０．５％ラウリルアルデヒドと、１０％イソボルニルアセテートと、０．２％スピロガルバノンと、１９．３％イソＥスーパーと、１０％フロールアセテートと、１０％ベルドックスと、２０％フルテンと、を含む、香料、
ｂ）０．２％シンナミックアルコールと、５％ウンデカラクトンと、１％ゲラニルアセテートと、１５％エチレンブラシレートと、２％ゲラニオールと、０．２％メロナールと、３％ハバノリドと、４．２％リナリルアセテートと、０．４％プレニルアセテートと、２％ヘリオナールと、８％イオノンγメチルと、２％ノピルアセテートと、２．１％ベンジルアセテートと、１．６％ヘキシルアセテートと、１％ジメチルベンジルカルビニルアセテートと、１０％メチルジヒドロジャスモネートと、２％リラールと、１％メチルセドリロンと、０．２％ノナラクトンと、０．４％エチル２メチルペンタノエートと、０．３％シトラールと、１０％イソＥスーパーと、２％フェニルエチルアルコールと、４％ヘキシルサリチレートと、６％ピラノールと、０．２％リファロームと、０．８％リグストラールと、０．４％エチル−２−メチルブチレートと、０．２％カンファーガムと、０．２％２  ６ノナジエノールＤＰＧ中１０％と、１０．５％リナロールと、４％オレンジテルペンと、０．１％メチルβ−ナフチルケトンと、を含む、香料、
ｃ）０．４％メントールと、５％γ−テルピニルアセテートと、２％ウンデカラクトンと、３％ハバノリドと、１％プレニルアセテートと、１０％イソボルニルアセテートと、４％イオノンγメチルと、５％β−ピネンと、２％ヘキシルアセテートと、０．５％センテナールと、０．１％スピロガルバノンと、１５．３％メチルジヒドロジャスモネートと、０．５％メロゾーンと、２％ビサボレンと、１％ボルネオールと、１０％イソＥスーパーと、２％環状エチレンドデカンジオエートと、１％アミルアセテートと、３％フルテンと、０．５％アンブレットリドと、０．２％２  ６ノナジエノールＤＰＧ中１０％と、１０％リナロールと、３％テルピニルアセテートと、１０％アカレアと、０．５％メチルβ−ナフチルケトンと、８％オレンジテルペンと、を含む、香料、
ｄ）０．５％メントールと、５％γ−テルピニルアセテートと、１％γ−ノナラクトンと、４％ペオニルと、２％ウンデカラクトンと、３％ヘキサデカノリドと、３％ハバノリドと、１％プレニルアセテートと、１０％イソボルニルアセテートと、４％イオノンγメチルと、５％β−ピネンと、１％ヘキシルアセテートと、０．１％スピロガルバノンと、８％メチルジヒドロジャスモネートと、３％ボルニルプロピオネートと、１％カシュメランと、２％ビサボレンと、１％ボルネオールと、１０％イソＥスーパーと、２％環状エチレンドデカンジオエートと、４％レモンＣＰと、１％アミルアセテートと、３％フルテンと、０．２％２  ６ノナジエノールＤＰＧ中１０％と、１０％リナロールと、２％テルピネオールと、３％テルピニルアセテートと、７％アカレアと、０．２％シス−３−ヘキセン−１−オールと、を含む、香料、
ｅ）０．２％メントールと、５％γ−テルピニルアセテートと、１％γ−ノナラクトンと、４％ペオニルと、２％ウンデカラクトンと、４％３，７−ジメチル−１−オクタノールと、６％ヘキサデカノリドと、１％プレニルアセテートと、５％イソボルニルアセテートと、４％イオノンγメチルと、５％β−ピネンと、１％ヘキシルアセテートと、０．１％スピロガルバノンと、６％メチルジヒドロジャスモネートと、３％ボルニルプロピオネートと、５％４−ｔｅｒｔ−ブチルシクロヘキシルアセテートと、２％カシュメランと、１％ボルネオールと、９．３％イソＥスーパーと、２％環状エチレンドデカンジオエートと、１％アミルアセテートと、３％フルテンと、０．２％２  ６ノナジエノールＤＰＧ中１０％と、７％リナロールと、２％テルピネオールと、０．２％マセノンと、１０％アカレアと、０．２％シス−３−ヘキセン−１−オールと、５％オレンジテルペンと、を含む、香料、及びこれらの混合物からなる群から選択される香料、並びにこれらの混合物を含む送達系を含み、残部に補助成分を含む、消費者製品。
【請求項５】
前記消費者製品が、約６．９９〜約０．０１、好ましくは約５〜約０．２、より好ましくは約４〜約０．３、最も好ましくは約４〜約０．８のｐＨを有する、請求項４に記載の消費者製品。
【請求項６】
洗浄及び処理製品の総重量に基づき、約０．０００１％〜約２５％の請求項１に記載の香料組成物と、補助成分と、を含む、請求項５に記載の消費者製品。
【請求項７】
前記消費者製品が、洗浄及び処理組成物の総重量に基づき、約０．０００１％〜約２５％の請求項１に記載の香料組成物を含む洗浄及び／又は処理組成物である、請求項４に記載の消費者製品。
【請求項８】
前記消費者製品が、布地及び／又は硬質表面洗浄及び／又は処理組成物の総重量に基づき、約０．００００１％〜約２５％の請求項１に記載の香料組成物を含む布地及び／又は硬質表面洗浄及び／又は処理組成物である、請求項４に記載の消費者製品。
【請求項９】
前記消費者製品が、洗剤の総重量に基づき、約０．００００１％〜約２５％の請求項１に記載の香料組成物を含む洗剤である、請求項４に記載の消費者製品。
【請求項１０】
前記消費者製品が、超コンパクト化消費者製品の総重量に基づき、約０．００００１％〜約２５％の請求項１に記載の香料組成物を含む超コンパクト化消費者製品である、請求項４に記載の消費者製品。
【請求項１１】
前記消費者製品が、請求項１に記載の香料組成物を含む布地ケア組成物であり、前記布地ケア組成物が、洗剤、布地柔軟剤、及び洗濯添加剤からなる群から選択され、
ａ）前記洗剤が、
（ｉ）再付着防止ポリマー、酵素、構造化剤及びこれらの混合物から選択される材料を含む液体洗剤、
（ｉｉ）再付着防止ポリマー、酵素、漂白剤及びこれらの混合物からなる群から選択される材料を含む粉末又は顆粒状洗剤、
（ｉｉｉ）再付着防止ポリマー、酵素、漂白剤、可溶性基材／フィルム及びこれらの混合物からなる群から選択される材料を含む単位用量、であり、
ｂ）前記布地柔軟剤が、布地柔軟活性成分と、任意の構造化剤と、を含む、液体、粉末、又はシートであり、
ｃ）前記洗濯添加剤が、
（ｉ）次亜塩素酸塩、過酸化水素及びこれらの混合物からなる群から選択される材料を含む漂白添加剤、
（ｉｉ）発泡剤、噴射剤及びこれらの混合物からなる群から選択される材料を含む前処理剤、及び、
（ｉｉｉ）酵素、非塩素系漂白剤及びこれらの混合物からなる群から選択される材料を含む洗濯中促進剤である、請求項４に記載の消費者製品。
【請求項１２】
前記消費者製品が、請求項１に記載の香料組成物を含むホームケア組成物であり、前記ホームケア組成物が、自動食器洗い組成物、手洗い用食器洗い組成物、硬質表面洗浄組成物、及び空気ケア組成物からなる群から選択され、
ａ）前記自動食器洗い組成物が、
（ｉ）再付着防止ポリマー、酵素、構造化剤、光沢／被覆ポリマー及びこれらの混合物から選択される材料を含む液体又はジェル、
（ｉｉ）再付着防止ポリマー、酵素、漂白剤、光沢／被覆ポリマー及びこれらの混合物からなる群から選択される粉末又は顆粒、及び、
（ｉｉｉ）再付着防止ポリマー、酵素、漂白剤、光沢／被覆ポリマー、可溶性基材／フィルム及びこれらの混合物からなる群から選択される材料を含む単位用量、であり、
ｂ）前記硬質表面洗浄組成物が、抗菌剤、好ましくはグリコール酸、クエン酸及びこれらの混合物などからなる群から選択される強酸、好ましくは水酸化ナトリウム、水酸化リチウム及びこれらの混合物からなる群から選択される強塩基、発泡剤、噴射剤、光沢／被覆ポリマー及びこれらの混合物からなる群から選択される材料を含む、請求項４に記載の消費者製品。
【請求項１３】
シェルと、コアと、を含み、前記シェルが前記コアを封入し、前記コアが請求項１に記載の香料組成物を含む、封入体。
【請求項１４】
ａ）部位を任意に洗浄及び／又はすすぐ工程と、
ｂ）メントール；オレンジＣＰ；オレンジテルペン；メチルβ−ナフチルケトン；カシュメラン；２  ６ノナジエノールＤＰＧ中１０％；テルピネオール；イソボルニルアセテート；センテナール；イソＥスーパー；プレニルアセテート；β−ピネン；レモンＣＰ；アミルアセテート；アカレア；イオノンγメチル；オクタリノール；４−ｔｅｒｔ−ブチルシクロヘキシルアセテート；ジャバノール；ボルニルプロピオネート；インドレン；リナロール；インドール；プレニルアセテート；スピロガルバノン；（Ｒ）−γ−ウンデカラクトン；ノナラクトン；ペオニル；マグノラン；オレンジテルペン；ヘキサデカノリド；ビサボレン；フルテン；マセノン；シス−３−ヘキセン−１−オール；メロナール；ヘリオナール；ヘキシルサリチレート；フェネチルフェニルアセテート；３，７−ジメチル−１−オクタノール；シクロペントール；メロゾーン；ジメチルベンジルカルビニルアセテート；フェニルエチルイソブチレート；リナリルアセテート；シンナミックアルコール；オクタナール；ベンジルアセテート；ヘキシルアセテート；フロールアセテート；アリルシクロヘキシルプロピオネート；リラール；リグストラール；カンファーガム；セドロール；ヘキサロン；ガラクソリド；トスカノール；ベンジルシンナメート；β−イオノン；ロマノリド；ネロリオン；ガルバジン；ボルネオール；環状エチレンドデカンジオエート；アンブレットリド；テルピニルアセテート；ジャスマール；ハバノリド；ヘキシルシンナミックアルデヒド；ノピルアセテート；クロナール；メチルジヒドロジャスモネート；エチル−２−メチルブチレート；γ−ドデカラクトン；フェニルエチルアルコール；イソアンブレットリド；アンベルケタール−ＩＰＭ；α−ピネン；アウランチオール；ゲラニオール；フラネオール；エチル２メチルペンタノエート；シトラール；ゲラニルアセテート；ベンジルサリチレート；シクラビュート；イソオイゲノール；γ−テルピニルアセテート；イソプロピルミリステート；シクロブタネート；ブチルステアレート；サリカニル；メチルアントラニレート；ヘルベトライド；ノナノール；５−アセチル−１，１，２，３，３，６−ヘキサメチルインダン（別名ファントリド）；バニリンイソブチレート；シス−３−ヘキセニルアセテート；５−シクロヘキサデセノン；ユーカリプトール；セドリルアセテート；スチラリルアセテート及びこれらの混合物からなる群から選択される材料からなる群から選択される香料材料、並びに／又は、
（ｉ）２０％ヘキシルシンナミックアルデヒドと、１０％ウンデカラクトンと、０．５％ラウリルアルデヒドと、１０％イソボルニルアセテートと、０．２％スピロガルバノンと、１９．３％イソＥスーパーと、１０％フロールアセテートと、１０％ベルドックスと、２０％フルテンと、を含む、香料、
（ｉｉ）０．２％シンナミックアルコールと、５％ウンデカラクトンと、１％ゲラニルアセテートと、１５％エチレンブラシレートと、２％ゲラニオールと、０．２％メロナールと、３％ハバノリドと、４．２％リナリルアセテートと、０．４％プレニルアセテートと、２％ヘリオナールと、８％イオノンγメチルと、２％ノピルアセテートと、２．１％ベンジルアセテートと、１．６％ヘキシルアセテートと、１％ジメチルベンジルカルビニルアセテートと、１０％メチルジヒドロジャスモネートと、２％リラールと、１％メチルセドリロンと、０．２％ノナラクトンと、０．４％エチル２メチルペンタノエートと、０．３％シトラールと、１０％イソＥスーパーと、２％フェニルエチルアルコールと、４％ヘキシルサリチレートと、６％ピラノールと、０．２％リファロームと、０．８％リグストラールと、０．４％エチル−２−メチルブチレートと、０．２％カンファーガムと、０．２％２  ６ノナジエノールＤＰＧ中１０％と、１０．５％リナロールと、４％オレンジテルペンと、０．１％メチルβ−ナフチルケトンと、を含む、香料、
（ｉｉｉ）０．４％メントールと、５％γ−テルピニルアセテートと、２％ウンデカラクトンと、３％ハバノリドと、１％プレニルアセテートと、１０％イソボルニルアセテートと、４％イオノンγメチルと、５％β−ピネンと、２％ヘキシルアセテートと、０．５％センテナールと、０．１％スピロガルバノンと、１５．３％メチルジヒドロジャスモネートと、０．５％メロゾーンと、２％ビサボレンと、１％ボルネオールと、１０％イソＥスーパーと、２％環状エチレンドデカンジオエートと、１％アミルアセテートと、３％フルテンと、０．５％アンブレットリドと、０．２％２  ６ノナジエノールＤＰＧ中１０％と、１０％リナロールと、３％テルピニルアセテートと、１０％アカレアと、０．５％メチルβ−ナフチルケトンと、８％オレンジテルペンと、を含む、香料、
（ｉｖ）０．５％メントールと、５％γ−テルピニルアセテートと、１％γ−ノナラクトンと、４％ペオニルと、２％ウンデカラクトンと、３％ヘキサデカノリドと、３％ハバノリドと、１％プレニルアセテートと、１０％イソボルニルアセテートと、４％イオノンγメチルと、５％β−ピネンと、１％ヘキシルアセテートと、０．１％スピロガルバノンと、８％メチルジヒドロジャスモネートと、３％ボルニルプロピオネートと、１％カシュメランと、２％ビサボレンと、１％ボルネオールと、１０％イソＥスーパーと、２％環状エチレンドデカンジオエートと、４％レモンＣＰと、１％アミルアセテートと、３％フルテンと、０．２％２  ６ノナジエノールＤＰＧ中１０％と、１０％リナロールと、２％テルピネオールと、３％テルピニルアセテートと、７％アカレアと、０．２％シス−３−ヘキセン−１−オールと、を含む、香料、
（ｖ）０．２％メントールと、５％γ−テルピニルアセテートと、１％γ−ノナラクトンと、４％ペオニルと、２％ウンデカラクトンと、４％３，７−ジメチル−１−オクタノールと、６％ヘキサデカノリドと、１％プレニルアセテートと、５％イソボルニルアセテートと、４％イオノンγメチルと、５％β−ピネンと、１％ヘキシルアセテートと、０．１％スピロガルバノンと、６％メチルジヒドロジャスモネートと、３％ボルニルプロピオネートと、５％４−ｔｅｒｔ−ブチルシクロヘキシルアセテートと、２％カシュメランと、１％ボルネオールと、９．３％イソＥスーパーと、２％環状エチレンドデカンジオエートと、１％アミルアセテートと、３％フルテンと、０．２％２  ６ノナジエノールＤＰＧ中１０％と、７％リナロールと、２％テルピネオールと、０．２％マセノンと、１０％アカレアと、０．２％シス−３−ヘキセン−１−オールと、５％オレンジテルペンと、を含む、香料からなる群から選択される香料、
及びこれらの混合物、並びに／又は、メントール；オレンジＣＰ；オレンジテルペン；メチルβ−ナフチルケトン；カシュメラン；２  ６ノナジエノールＤＰＧ中１０％；テルピネオール；イソボルニルアセテート；センテナール；イソＥスーパー；プレニルアセテート；β−ピネン；レモンＣＰ；アミルアセテート；アカレア；イオノンγメチル；オクタリノール；４−ｔｅｒｔ−ブチルシクロヘキシルアセテート；ジャバノール；ボルニルプロピオネート；インドレン；リナロール；インドール；プレニルアセテート；スピロガルバノン；（Ｒ）−γ−ウンデカラクトン；ノナラクトン；ペオニル；マグノラン；オレンジテルペン；ヘキサデカノリド；ビサボレン；フルテン；マセノン；シス−３−ヘキセン−１−オール；メロナール；ヘリオナール；ヘキシルサリチレート；フェネチルフェニルアセテート；３，７−ジメチル−１−オクタノール；シクロペントール；メロゾーン；ジメチルベンジルカルビニルアセテート；フェニルエチルイソブチレート；リナリルアセテート；シンナミックアルコール；オクタナール；ベンジルアセテート；ヘキシルアセテート；フロールアセテート；アリルシクロヘキシルプロピオネート；リラール；リグストラール；カンファーガム；セドロール；ヘキサロン；ガラクソリド；トスカノール；ベンジルシンナメート；β−イオノン；ロマノリド；ネロリオン；ガルバジン；ボルネオール；環状エチレンドデカンジオエート；アンブレットリド；テルピニルアセテート；ジャスマール；ハバノリド；ヘキシルシンナミックアルデヒド；ノピルアセテート；クロナール；メチルジヒドロジャスモネート；エチル−２−メチルブチレート；γ−ドデカラクトン；フェニルエチルアルコール；イソアンブレットリド；アンベルケタール−ＩＰＭ；α−ピネン；アウランチオール；ゲラニオール；フラネオール；エチル２メチルペンタノエート；シトラール；ゲラニルアセテート；ベンジルサリチレート；シクラビュート；イソオイゲノール；γ−テルピニルアセテート；イソプロピルミリステート；シクロブタネート；ブチルステアレート；サリカニル；メチルアントラニレート；ヘルベトライド；ノナノール；５−アセチル−１，１，２，３，３，６−ヘキサメチルインダン（別名ファントリド）；バニリンイソブチレート；シス−３−ヘキセニルアセテート；５−シクロヘキサデセノン；ユーカリプトール；セドリルアセテート；スチラリルアセテート及びこれらの混合物からなる群から選択される香料材料、並びに／又は、
（ｉ）２０％ヘキシルシンナミックアルデヒドと、１０％ウンデカラクトンと、０．５％ラウリルアルデヒドと、１０％イソボルニルアセテートと、０．２％スピロガルバノンと、１９．３％イソＥスーパーと、１０％フロールアセテートと、１０％ベルドックスと、２０％フルテンと、を含む、香料、
（ｉｉ）０．２％シンナミックアルコールと、５％ウンデカラクトンと、１％ゲラニルアセテートと、１５％エチレンブラシレートと、２％ゲラニオールと、０．２％メロナールと、３％ハバノリドと、４．２％リナリルアセテートと、０．４％プレニルアセテートと、２％ヘリオナールと、８％イオノンγメチルと、２％ノピルアセテートと、２．１％ベンジルアセテートと、１．６％ヘキシルアセテートと、１％ジメチルベンジルカルビニルアセテートと、１０％メチルジヒドロジャスモネートと、２％リラールと、１％メチルセドリロンと、０．２％ノナラクトンと、０．４％エチル２メチルペンタノエートと、０．３％シトラールと、１０％イソＥスーパーと、２％フェニルエチルアルコールと、４％ヘキシルサリチレートと、６％ピラノールと、０．２％リファロームと、０．８％リグストラールと、０．４％エチル−２−メチルブチレートと、０．２％カンファーガムと、０．２％２  ６ノナジエノールＤＰＧ中１０％と、１０．５％リナロールと、４％オレンジテルペンと、０．１％メチルβ−ナフチルケトンと、を含む、香料、
（ｉｉｉ）０．４％メントールと、５％γ−テルピニルアセテートと、２％ウンデカラクトンと、３％ハバノリドと、１％プレニルアセテートと、１０％イソボルニルアセテートと、４％イオノンγメチルと、５％β−ピネンと、２％ヘキシルアセテートと、０．５％センテナールと、０．１％スピロガルバノンと、１５．３％メチルジヒドロジャスモネートと、０．５％メロゾーンと、２％ビサボレンと、１％ボルネオールと、１０％イソＥスーパーと、２％環状エチレンドデカンジオエートと、１％アミルアセテートと、３％フルテンと、０．５％アンブレットリドと、０．２％２  ６ノナジエノールＤＰＧ中１０％と、１０％リナロールと、３％テルピニルアセテートと、１０％アカレアと、０．５％メチルβ−ナフチルケトンと、８％オレンジテルペンと、を含む、香料、
（ｉｖ）０．５％メントールと、５％γ−テルピニルアセテートと、１％γ−ノナラクトンと、４％ペオニルと、２％ウンデカラクトンと、３％ヘキサデカノリドと、３％ハバノリドと、１％プレニルアセテートと、１０％イソボルニルアセテートと、４％イオノンγメチルと、５％β−ピネンと、１％ヘキシルアセテートと、０．１％スピロガルバノンと、８％メチルジヒドロジャスモネートと、３％ボルニルプロピオネートと、１％カシュメランと、２％ビサボレンと、１％ボルネオールと、１０％イソＥスーパーと、２％環状エチレンドデカンジオエートと、４％レモンＣＰと、１％アミルアセテートと、３％フルテンと、０．２％２  ６ノナジエノールＤＰＧ中１０％と、１０％リナロールと、２％テルピネオールと、３％テルピニルアセテートと、７％アカレアと、０．２％シス−３−ヘキセン−１−オールと、を含む、香料、
（ｖ）０．２％メントールと、５％γ−テルピニルアセテートと、１％γ−ノナラクトンと、４％ペオニルと、２％ウンデカラクトンと、４％３，７−ジメチル−１−オクタノールと、６％ヘキサデカノリドと、１％プレニルアセテートと、５％イソボルニルアセテートと、４％イオノンγメチルと、５％β−ピネンと、１％ヘキシルアセテートと、０．１％スピロガルバノンと、６％メチルジヒドロジャスモネートと、３％ボルニルプロピオネートと、５％４−ｔｅｒｔ−ブチルシクロヘキシルアセテートと、２％カシュメランと、１％ボルネオールと、９．３％イソＥスーパーと、２％環状エチレンドデカンジオエートと、１％アミルアセテートと、３％フルテンと、０．２％２  ６ノナジエノールＤＰＧ中１０％と、７％リナロールと、２％テルピネオールと、０．２％マセノンと、１０％アカレアと、０．２％シス−３−ヘキセン−１−オールと、５％オレンジテルペンと、を含む香料、及びこれらの混合物からなる群から選択される香料を含む、香料送達系を含む、組成物に接触させる工程であって、
前記組成物が、リン酸、その塩、及びその混合物；ギ酸、その塩、及びその混合物；酢酸、その塩、及びその混合物；クエン酸、シトレート、その塩、及びその混合物；乳酸、その塩、及びその混合物；シュウ酸、その塩、及びその混合物；硫酸、その塩、及びその混合物を含む、工程と、
ｃ）前記部位を、任意に洗浄及び／又はすすぎ及び／又は乾燥する工程であって、一態様では、自然乾燥及び／又は機械乾燥する工程と、を含む、方法。
【発明の詳細な説明】
【技術分野】
【０００１】
本出願は、香料原材料、香料、香料送達系、並びに、かかる香料原材料、香料、及び／又はかかる香料送達系を含む消費者製品、並びに、かかる香料原材料、香料、香料送達系、及び消費者製品の製造及び／又は使用プロセスに関する。
【背景技術】
【０００２】
消費者製品は、かかる製品及び／又はかかる製品と接触する任意の部位へ所望の香りを提供できる、１つ以上の香料及び／又は香料送達系を含むことができる。硬質表面クリーナー、例えば、水垢除去剤などの消費者製品は、水垢などの沈着の除去を促進するために酸を使用することが多い。かかる酸は不快な匂いを有し、製品に対して消費者が否定的な反応することになり、克服すべき課題である。典型的には、同様に強い強度を有する成分を利用して、元々の不快な匂いを打ち消す。残念ながら、かかる成分は、単に対抗しているにすぎず、元々の不快な匂いを効果的に中和しない。結果として、元々の不快な匂いは依然としてはっきりと識別できる。
【０００３】
出願人らは、かかる不快な匂いの克服が非常に困難である理由は、かかる酸が三叉神経に影響を及ぼすことであると認識していた。三叉神経（第Ｖ脳神経、第Ｖ神経、又は単にＣＮＶ又はＣＮ５とも呼ばれる）は、顔面の知覚、並びに咬合及び咀嚼などの特定の運動機能をつかさどる神経である。これは、脳神経のうち最も大きい。出願人らは、三叉神経に対する不快な匂いの影響は、特定の香料成分を使用することによって低減できることを認識していた。驚くべきことに、出願人らは、特定の香料材料及びこれらの組み合わせは、匂い強度とは無関係に、上述の不快な匂いを中和できることを見出した。
【発明の概要】
【課題を解決するための手段】
【０００４】
本出願は、香料原材料、香料、香料送達系、並びに、かかる香料原材料、香料、及び／又はかかる香料送達系を含む消費者製品、並びに、かかる香料原材料、香料送達系、及び消費者製品の製造及び／又は使用プロセスに関する。
【発明を実施するための形態】
【０００５】
定義
本明細書で使用するとき、「消費者製品」は、販売される形態での使用又は消費を一般に意図する、ベビーケア、ビューティケア、布地及びホームケア、ファミリーケア、女性用ケア、ヘルスケア、スナック、及び／又は飲料製品、包装、若しくは装置を意味する。かかる製品としては、おむつ、よだれかけ、拭き取り用品；脱色、着色、染色、コンディショニング、シャンプー、スタイリングを含む毛髪（ヒト、イヌ、及び／又はネコ）の処理に関連する製品及び／又は方法；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、並びに消費者用又は業務用の他の洗浄などの、布地及びホームケア領域内の布地、硬質表面、及び任意の他の表面処理に関する製品及び／又は方法；トイレットペーパー、フェイシャルティッシュ、紙ハンカチ、及び／又は紙タオルに関連する製品及び／又は方法；タンポン、女性用ナプキン；練り歯磨き、歯用ジェル、歯用リンス、義歯接着剤、歯ホワイトニングを含む口腔ケアに関連する製品及び／又は方法；咳及び風邪治療薬、鎮痛剤、処方薬、ペットヘルス及び栄養を含む店頭販売ヘルスケア；主に慣習的な食事の間又は食事随伴物としての消費が意図される加工食品（非限定的な例としては、ポテトチップス、トルティーヤチップス、ポップコーン、プレッツェル、コーンチップス、シリアルバー、野菜チップス又はクリスプ、スナックミックス、パーティミックス、マルチグレインチップス、スナッククラッカー、チーズスナック、ポークラインズ、コーンスナック、ペレットスナック、押出成形スナック及びベーグルチップが挙げられる）、並びにコーヒーが挙げられるが、これらに限定されない。
【０００６】
本明細書で使用するとき、用語「洗浄及び／又は処理組成物」は、特に断りのない限り、ビューティケア、布地及びホームケア製品を包含する消費者製品の部分集合である。このような製品としては、脱色、着色、染色、コンディショニング、シャンプー、スタイリングを含む毛髪（ヒト、イヌ、及び／又はネコ）を処理するための製品；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、顆粒又は粉末状の多目的すなわち「重質」洗浄剤、特に洗浄洗剤を含む、布地及びホームケア領域内の布地、硬質表面、及び任意の他の表面を処理するための製品；液体、ゲル又はペースト状の多目的洗浄剤、特にいわゆる重質液体型；液体高級衣類用洗剤；手洗い食器洗浄剤又は軽質食器洗浄剤、特に泡立ちのよいもの；家庭又は業務用の各種の錠剤、顆粒、液体、及びすすぎ補助剤型を含む食器洗い機用洗剤；抗菌手洗い用型を含む液体洗浄及び殺菌剤、手洗い石鹸、マウスウォッシュ、義歯洗浄剤、歯磨剤、車又はカーペット用シャンプー、便器洗浄剤を含む浴室洗浄剤；ヘアシャンプー及びヘアリンス；シャワージェル、上質な芳香剤、及び発泡入浴剤、並びに金属洗浄剤；並びに漂白添加剤、及び「染み用スティック」又は前処理用型などの洗浄助剤、乾燥機添加シートなどの基質を有する製品、乾燥及び湿潤型拭取り用品並びにパッド、不織布基質、及びスポンジ；並びに全て消費者及び／又は業務用のスプレー剤、及びミスト剤；並びに／又は練り歯磨き、歯用ジェル、歯用リンス、義歯接着剤、歯ホワイトニングを含む口腔ケアに関連する方法が挙げられるが、これらに限定されない。
【０００７】
本明細書で使用するとき、「布地及び／又は硬質表面洗浄及び／又は処理組成物」という用語は、特に指示のない限り、顆粒又は粉末状の多目的すなわち「強力」洗浄剤、特に洗浄洗剤；液体、ゲル又はペースト状の多目的洗浄剤、特にいわゆる強力液体型；液体高級衣類用洗剤；手洗い食器洗浄剤又は軽質食器洗浄剤、特に泡立ちのよいもの；家庭用及び業務用の各種の錠剤、顆粒、液体、及びすすぎ補助剤型を含む食器洗い機用洗剤；抗菌手洗い用型を含む液体洗浄殺菌剤、手洗い石鹸、車又はカーペット用シャンプー、便器洗浄剤を含む浴室洗浄剤；並びに金属洗浄剤、液体、固体、及び／又は乾燥機用シート形態であり得る柔軟化及び／又はフレッシュニングを含む布地コンディショニング製品；に加えて漂白添加剤、及び「染み用スティック」又は前処理用型などの洗浄助剤、乾燥機添加シートなどの基材を有する製品、乾燥及び湿潤型拭取り用品並びにパッド、不織布基材、及びスポンジ；並びにスプレー剤、及びミスト剤が挙げられる洗浄及び処理組成物の部分集合である。適用可能であったかかる製品の全ては、標準形態、濃縮形態であり得、又は、かかる製品が特定の態様では非水性であり得る程度まで高度濃縮形態にすらなり得る。
【０００８】
本明細書で使用するとき、請求項において使用される「ａ」及び「ａｎ」などの冠詞は、請求される又は記載される１つ以上のものを意味すると理解される。
【０００９】
本明細書において使用するとき、「含む（include）」、「含む（includes）」、及び「含んでいる（including）」は、非限定的であることを意味する。
【００１０】
本明細書で使用するとき、用語「固体」は、顆粒、粉末、バー及び錠剤の製品形態を含む。
【００１１】
本明細書で使用するとき、用語「流体」は、液体、ゲル、ペースト及びガスの製品形態を含む。
【００１２】
本明細書で使用するとき、用語「部位」は、紙製品、布地、衣服、硬質表面、毛髪、及び皮膚を含む。
【００１３】
本明細書で使用するとき、用語「未希釈」は、香料に関して使用されるとき、香料が、香料送達系の一部ではない／香料送達系に含まれていないことを意味する。
【００１４】
本明細書で使用するとき、用語「硬質表面」は、台所や浴室などの家庭内及び周りに一般的に見出せるあらゆる種類の表面、例えば床、壁、タイル、窓、食器棚、流し、シャワー、シャワー用ビニルカーテン、洗面台、トイレ、備品及び建具など、セラミック、ビニル、ワックスなしビニル、リノリウム、メラミン、ガラス、Ｉｎｏｘ（登録商標）、Ｆｏｒｍｉｃａ（登録商標）、任意のプラスチック、ビニル処理した木材、金属又はあらゆる塗装若しくはつや消し若しくは密封したような表面などの異なる材料を素材にしたものを意味する。硬質表面には、更に冷蔵庫、冷凍庫、洗濯機、自動乾燥機、オーブン、電子レンジ、食器洗浄機などを含む家庭電化製品が挙げられるが、これらに限定されない。このような硬質表面は、個人の家庭用並びに商業用、企業用及び工業用の環境の両方で見出されてもよい。硬質表面は、食器表面を更に含んでよい。
【００１５】
本明細書で使用するとき、用語「食器表面」は、皿、食事用器具、まな板、鍋などのような、食器の洗浄で見出されるあらゆる種類の表面を意味する。このような食器表面は、個人の家庭用並びに商業用、企業用及び工業用の環境の両方で見出されてもよい。
【００１６】
本明細書で使用するとき、用語「中和する」は、匂いの知覚に対する感受性を低下させることを意味する。例えば、芳香剤又は芳香物質は、ギ酸の匂いが顕著に低減すると、中和すると考えられる。これは、５が中和効果がないことを示し、酸の匂いが完全に中和されていることを意味する、本明細書の試験方法の項に記載される方法に従う５ポイントの尺度による評価基準である。
【００１７】
別途記載のない限り、成分又は組成物の濃度は全て、当該成分又は組成物の活性部分に関するものであり、このような成分又は組成物の市販の供給源に存在し得る不純物、例えば、残留溶媒又は副生成物は除外される。
【００１８】
百分率及び比率は全て、別途記載のない限り重量で計算される。百分率及び比率は全て、別途記載のない限り組成物全量に基づいて計算される。
【００１９】
本明細書の全体を通じて与えられる全ての最大の数値限定は、それよりも小さい数値限定を、そのようなより小さい数値限定があたかも本明細書に明確に記載されているものと同様にして包含するものと理解すべきである。本明細書全体を通して記載される全ての最小数値限定は、このようなより高い数値限定が本明細書に明示的に記載されているかのように、全てのより高い数値限定を含む。本明細書全体を通して記載される全ての数値範囲は、このようなより狭い数値範囲が本明細書に明示的に記載されているかのように、このようなより広い数値範囲内の全てのより狭い数値範囲を含む。
【００２０】
香料
不快な匂い、特に、三叉神経に影響を及ぼす不快な匂い、例えば、リン酸、その塩、及びその混合物；ギ酸、その塩、及びその混合物；酢酸、その塩、及びその混合物；クエン酸、シトレート、その塩、及びその混合物；乳酸、その塩、及びその混合物；シュウ酸、その塩、及びその混合物；硫酸、その塩、及びその混合物からなる群から選択される物質に起因する不快な匂いを中和する好適な香料原材料及び香料は、以下の表１及び２に示されている。
【００２１】
【表１−１】
2016522275.tif 000002
【００２２】
【表１−２】
2016522275.tif 000003
【００２３】
【表２】
2016522275.tif 000004
【００２４】
本明細書に開示される表１の物質及び表２の香料は、任意の種類の消費者製品において任意の組み合わせで使用できる。
【００２５】
一態様では、表１の物質及びこれらの混合物からなる群から選択される物質、並びに／又は、表２の香料及びこれらの混合物からなる群から選択される香料を含む香料組成物が開示される。
【００２６】
一態様では、かかる香料は、香料組成物の総重量に基づいて、少なくとも１０％、少なくとも２０％、少なくとも３０％、少なくとも４０％、少なくとも５０％、少なくとも６０％、少なくとも７０％、少なくとも８０％、少なくとも９０％、少なくとも９５％の、表１の物質及びこれらの混合物からなる群から選択される物質を含む。
【００２７】
一態様では、かかる香料は、香料組成物の総重量に基づいて、少なくとも１０％、少なくとも２０％、少なくとも３０％、少なくとも４０％、少なくとも５０％、少なくとも６０％、少なくとも７０％、少なくとも８０％、少なくとも９０％、少なくとも９５％の、表１の物質番号１〜３５及びこれらの混合物からなる群から選択される物質を含む。
【００２８】
一態様では、消費者製品の総重量に基づいて、約０．０００１％〜約１００％の、表１の物質及びこれらの混合物からなる群から選択される物質、並びに／又は、表２の香料及びこれらの混合物からなる群から選択される香料を含む、かかる香料及び又は送達系を含む消費者製品であって、残部に補助成分を含む消費者製品が開示される。
【００２９】
一態様では、かかる消費者製品は、約６．９９〜約０．０１、約５〜約０．２、約４〜約０．３、又は約４〜約０．８のｐＨを有する。
【００３０】
消費者製品の総重量に基づいて、約０．０００１％〜約１００％の表１の物質及びこれらの混合物からなる群から選択される物質、並びに／又は、表２の香料及びこれらの混合物からなる群から選択される香料、を含む、消費者製品であって、残部に、補助成分、並びに／又は、表１の物質及びこれらの混合物からなる群から選択される物質、並びに／又は、表２の香料及びこれらの混合物からなる群から選択される香料を含む、香料送達系を含む消費者製品も開示される。
【００３１】
洗浄及び処理製品の総重量に基づいて、約０．０００１％〜約２５％の、表１の物質及びこれらの混合物からなる群から選択される物質、並びに／又は、表２の香料及びこれらの混合物からなる群から選択される香料と、補助成分と、を含む、洗浄及び／又は処理組成物も開示される。
【００３２】
布地及び／又は硬質表面洗浄及び／又は処理組成物の総重量に基づいて、約０．００００１％〜約２５％の、表１の物質及びこれらの混合物からなる群から選択される物質、並びに／又は、表２の香料及びこれらの混合物からなる群から選択される香料と、補助成分と、を含む、布地及び／又は硬質表面洗浄及び／又は処理組成物も開示される。
【００３３】
布地及び／又は硬質表面洗浄及び／又は処理組成物の総重量に基づいて、約０．００００１％〜約２５％の、表１の物質及びこれらの混合物からなる群から選択される物質、並びに／又は、表２の香料及びこれらの混合物からなる群から選択される香料と、補助成分と、を含む、洗剤も開示される。
【００３４】
超コンパクト化消費者製品組成物の総重量に基づいて、約０．００００１％〜約２５％の、表１の物質及びこれらの混合物からなる群から選択される物質、並びに／又は、表２の香料及びこれらの混合物からなる群から選択される香料と、補助成分と、を含む、超コンパクト化消費者製品も開示される。
【００３５】
消費者製品の総重量に基づいて、約０．０００１％〜約１００％の、表１の物質及びこれらの混合物からなる群から選択される物質、並びに／又は、表２の香料及びこれらの混合物からなる群から選択される香料、を含む、消費者製品であって、残部に補助成分、並びに／又は、１つ以上のクラスＩ及びＩＩ香料原材料を含む香料送達系を含む、消費者製品も開示される。
【００３６】
総組成物重量に基づいて、約０．０００１％〜約２５％の、表１の物質及びこれらの混合物からなる群から選択される物質、並びに／又は、表２の香料及びこれらの混合物からなる群から選択される香料と、補助成分と、を含む、洗浄及び／又は処理組成物も開示される。
【００３７】
総組成物重量に基づいて、約０．００００１％〜約２５％の、表１の物質及びこれらの混合物からなる群から選択される物質、並びに／又は、表２の香料及びこれらの混合物からなる群から選択される香料と、補助成分と、を含む、布地及び／又は硬質表面洗浄及び／又は処理組成物も開示される。
【００３８】
総洗剤重量に基づいて、約０．００００１％〜約２５％の、表１の物質及びこれらの混合物からなる群から選択される物質、並びに／又は、表２の香料及びこれらの混合物からなる群から選択される香料と、補助成分と、を含む、洗剤も開示される。
【００３９】
超コンパクト化消費者製品組成物の総重量に基づいて、約０．００００１％〜約２５％の、表１の物質及びこれらの混合物からなる群から選択される物質、並びに／又は、表２の香料及びこれらの混合物からなる群から選択される香料と、補助成分と、を含む、超コンパクト化消費者製品も開示される。
【００４０】
表１の物質及びこれらの混合物からなる群から選択される物質、並びに／又は、表２の香料及びこれらの混合物からなる群から選択される香料を含む、布地ケア組成物であって、洗剤、布地柔軟剤、及び洗濯添加剤からなる群から選択され、
ａ）かかる洗剤は、
（ｉ）再付着防止ポリマー、酵素、構造化剤及びこれらの混合物から選択される材料を含む液体洗剤、
（ｉｉ）再付着防止ポリマー、酵素、漂白剤及びこれらの混合物からなる群から選択される材料を含む粉末又は顆粒状洗剤、
（ｉｉｉ）再付着防止ポリマー、酵素、漂白剤、可溶性基材／フィルム及びこれらの混合物からなる群から選択される材料を含む単位用量、であり、
ｂ）かかる布地柔軟剤は、布地柔軟活性成分と、任意の構造化剤と、を含む、液体、粉末、又はシートであり、
ｃ）かかる洗濯添加剤は、
（ｉ）次亜塩素酸塩、過酸化水素及びこれらの混合物からなる群から選択される材料を含む漂白添加剤、
（ｉｉ）発泡剤、噴射剤及びこれらの混合物からなる群から選択される材料を含む前処理剤、
（ｉｉｉ）酵素、非塩素系漂白剤及びこれらの混合物からなる群から選択される材料を含む洗濯中促進剤である、
布地ケア組成物も開示される。
【００４１】
表１の物質及びこれらの混合物からなる群から選択される物質、並びに／又は、表２の香料及びこれらの混合物からなる群から選択される香料を含む、ホームケア組成物であって、自動食器洗い組成物、及び硬質表面洗浄組成物からなる群から選択され、
ａ）かかる自動食器洗い組成物は、
（ｉ）再付着防止ポリマー、酵素、構造化剤、光沢／被覆ポリマー及びこれらの混合物から選択される材料を含む液体又はジェル、
（ｉｉ）再付着防止ポリマー、酵素、漂白剤、光沢／被覆ポリマー及びこれらの混合物からなる群から選択される粉末又は顆粒、
（ｉｉｉ）再付着防止ポリマー、酵素、漂白剤、光沢／被覆ポリマー、可溶性基材／フィルム及びこれらの混合物からなる群から選択される材料を含む単位用量、であり、
ｂ）かかる硬質表面洗浄組成物は、抗菌剤、好ましくはグリコール酸、クエン酸及びこれらの混合物などからなる群から選択される強酸、好ましくは水酸化ナトリウム、水酸化リチウム及びこれらの混合物からなる群から選択される強塩基、発泡剤、噴射剤、光沢／被覆ポリマー及びこれらの混合物からなる群から選択される材料を含む、
ホームケア組成物も開示される。
【００４２】
本発明の一態様では、消費者製品は、液体洗剤組成物であり、一態様では、硬質表面洗浄組成物である。かかる液体洗剤組成物は、典型的には、リン酸、その塩、及びその混合物；ギ酸、その塩、及びその混合物；酢酸、その塩、及びその混合物；クエン酸、シトレート、その塩、及びその混合物；乳酸、その塩、及びその混合物；シュウ酸、その塩、及びその混合物；硫酸、その塩、及びその混合物；並びにこれらの混合物からなる群から選択される、１つ以上の酸性構成成分を含む。一態様では、１つ以上の酸性構成成分は、リン酸、その塩、及びその混合物；ギ酸、その塩、及びその混合物；酢酸、その塩、及びその混合物；クエン酸、シトレート、その塩、及びその混合物；乳酸、その塩、及びその混合物；シュウ酸、その塩、及びその混合物；並びにこれらの混合物からなる群から選択される。一態様では、液体洗剤組成物は、リン酸、その塩、及びその混合物；ギ酸、その塩、及びその混合物；酢酸、その塩、及びその混合物；クエン酸、シトレート、その塩、及びその混合物；乳酸、その塩、及びその混合物；シュウ酸、その塩、及びその混合物；硫酸、その塩、及びその混合物；並びにこれらの混合物からなる群から選択される、少なくとも２種類の酸性構成成分の組み合わせを含んでよい。一態様では、少なくとも２種類の酸性構成成分は、異なっている（すなわち、同じ酸性構成成分又はその塩ではない）。かかる液体洗剤組成物は、表１の物質及びこれらの混合物からなる群から選択される物質、並びに／又は、表２の香料及びこれらの混合物からなる群から選択される香料を含む。
【００４３】
一態様では、上で詳述された実施形態（任意及び全ての消費者製品実施形態）は、表１の物質１〜３５及びこれらの混合物から選択される材料を含む。
【００４４】
一態様では、上で詳述された実施形態（任意及び全ての消費者製品実施形態）は、表１の物質３６〜１０４及びこれらの混合物から選択される材料を含む。
【００４５】
一態様では、上で詳述された実施形態（任意及び全ての消費者製品実施形態）は、表２の香料１〜５及びこれらの混合物から選択される香料を含む。
【００４６】
一態様では、上で詳述された実施形態（任意及び全ての消費者製品実施形態）は、表２の香料１〜５から選択される香料を含む。
【００４７】
香料送達系
特定の香料送達系、特定の香料送達系の製造方法、及びかかる香料送達系の使用は、米国特許出願公開第２００７／０２７５８６６  Ａ１号に開示されている。かかる香料送達系として以下のものが挙げられる。
【００４８】
リザーバ系：リザーバ系はコア／シェル型技術、すなわちフレグランスが保護シェルとして機能し得る香料放出制御膜によって包囲される技術としても知られる。マイクロカプセル内部の物質がコア、内部相、又は充填物と呼ばれるのに対して、この壁は時としてシェル、コーティング、又は膜と呼ばれる。マイクロ粒子、感圧カプセル又はマイクロカプセルはこうした技術の例である。本発明のマイクロカプセルは、限定するものではないが、コーティング、押出し、スプレー乾燥、界面重合、その場での重合、及びマトリクス重合などの様々な方法によって形成される。使用可能なシェル物質は水に対する安定性が大きく異なる。最も安定したものとして、水溶液（又は製品）中で特定のＰＲＭをより長期にわたって保持し得るポリオキシメチレン尿素（ＰＭＵ）系材料がある。こうした系として、尿素−ホルムアルデヒド、及び／又はメラミン−ホルムアルデヒドが挙げられるが、これらに限定されない。例えば架橋度に応じて水に速やかに又はゆっくりと溶解するようにゼラチン系マイクロカプセルを調製してよい。多くの他のカプセル壁材料が入手可能であり、これらは観察される香料の拡散安定性の程度が異なっている。理論に束縛されるものではないが、例えば一度所定の表面に付着したカプセルからの香料の放出速度は、通常、製品内の香料拡散安定性の逆数である。このため、例えば尿素−ホルムアルデヒド、及びメラミン−ホルムアルデヒドマイクロカプセルは、通常、機械的力（例、摩擦力、圧力、剪断応力）などの、カプセルを破壊して香料（芳香剤）の放出速度を増大させる、拡散以外の（又は拡散の他の更なる）放出機構を香料の放出のために必要とする。他の誘因としては、融解、溶解、加水分解又は他の化学反応、及び電磁放射などが挙げられる。好適なカプセル壁材料として、アミノ樹脂、ポリビニルアルコール、ポリビニルピロリドン、ポリエチレングリコール、多糖類及び修飾多糖類に加え、ゲル形成タンパク質、修飾セルロース、例えばカルボキシメチルセルロース及びヒドロキシエチルセルロース、ポリアクリレート、ポリ尿素、ポリウレタン、及びこれらの混合物が挙げられる。カプセルは、所望の表面へのカプセルの付着及び／又は定着を向上し得る追加のコーティングで更にコーティングしてよい。好適なコーティング材料として、カプセルの表面に対してカチオン性コーティングされたポリマー封入材料を形成する、多糖類、カチオン変性デンプン、カチオン変性グアー、ポリシロキサン、ポリジアリルジメチルアンモニウムハロゲン化物、ポリジアリルジメチルアンモニウムクロリドとビニルピロリドンとのコポリマー、アクリルアミド、イミダゾール、イミダゾリニウムハロゲン化物、イミダゾリウムハロゲン化物、ポリビニルアミン、ポリビニルアミンとＮ−ビニルホルムアミドとのコポリマーからなる群から選択されるカチオン性ポリマーが挙げられる。典型的なカプセルは、１マイクロメートル〜５００マイクロメートルの直径を有する。予備充填されたマイクロカプセルの使用には、製品内安定性、及び使用時及び／又は表面上（部位上）放出の適正な比に加えてＰＲＭの適切な選択が求められる。尿素−ホルムアルデヒド、及び／又はメラミン−ホルムアルデヒド系のマイクロカプセルは特に中性に近い水溶液中で比較的安定している。これらの材料は摩擦誘因を必要とする場合があるが、これは全ての製品用途に適用できるものではない。他のマイクロカプセル材料（例、ゼラチン）は水系製品中では不安定な場合があり、製品の経時後に（自由香料制御と比較して）効果が低下する場合もある。
【００４９】
分子支援型送達（ＭＡＤ）：非ポリマー物質又は分子もまた、香料の送達を向上させるために供され得る。理論に束縛されるものではないが、香料は有機物質と非共有結合的に相互作用する場合があり、香料の蓄積及び／又は放出に影響する。こうした有機物質の非限定的な例としては、有機油、ワックス、鉱物油、ペトロラタム、脂肪酸又はエステルなどの疎水性物質、糖類、界面活性剤、リポソーム、更には他の香料原材料（香油）、並びにボディーオイルや他のソイルなどの天然油が挙げられるが、これらに限定されない。香料定着剤は、更なる別の例である。一態様では、非ポリマー性材料又は分子は、約２よりも大きいＣＬｏｇＰ値を有する。分子支援型送達（ＭＡＤ）にはまた、米国特許第７，１１９，０６０号に記載のものも含まれる。
【００５０】
デンプン封入アコード（ＳＥＡ）：デンプン封入アコード（ＳＥＡ）技術の使用によれば、例えばデンプンなどの成分を加えて液体香料を固体に変換することによって、香料の性質を改変することが可能である。その効果としては、製品保存時の香料の保持率が特に非水性条件下において向上することが挙げられる。水分との接触時には香料のブルームが誘発され得る。製品の配合者は、デンプンによって、通常であればＳＥＡの非存在下では使用できないＰＲＭ又はＰＲＭの濃度を選択することが可能となることから、他の最適な時点で更に効果が得られる可能性がある。別の技術の例としては、香料を液体から固体に転化するうえでシリカなどの他の有機及び無機材料を使用することが挙げられる。
【００５１】
一態様では、表１の物質及びこれらの混合物からなる群から選択される物質、並びに／又は、表２の香料及びこれらの混合物からなる群から選択される香料は、香料送達系の総重量に基づき、０．００１％〜約５０％、０．００５％〜３０％、０．０１％〜約１０％、０．０２５％〜約５％、又は更に０．０２５％〜約１％の濃度で香料送達系において用いるのに好適である。
【００５２】
一態様では、本明細書に開示される香料送達系は、消費者製品の総重量に基づいて、約０．００１％〜約２０％、約０．０１％〜約１０％、約０．０５％〜約５％、約０．１％〜約０．５％の濃度で、消費者製品、洗浄及び処理組成物、並びに、布地及び硬質表面用の、洗浄及び／又は処理組成物、洗剤、並びに、超コンパクト化消費者製品（超コンパクト化布地及び硬質表面洗浄及び／又は処理組成物が挙げられ、例えば、固体又は液体であり得る超コンパクト化洗剤）において使用するに好適である。
【００５３】
一態様では、表１の物質及びこれらの混合物からなる群から選択される物質、並びに／又は、表２の香料及びこれらの混合物からなる群から選択される香料の量は、リザーバ系重量に基づいて、約０．１％〜約９９％、２５％〜約９５％、３０〜約９０％、４５％〜約９０％、６５％〜約９０％であってよい。
【００５４】
一態様では、表１の物質及びこれらの混合物からなる群から選択される物質、並びに／又は、表２の香料及びこれらの混合物からなる群から選択される香料の量は、デンプン封入体及びデンプン凝集体（デンプン封入アコード（ＳＥＡ））の総重量に基づき、０．１％〜約９９％、２５％〜約９５％、３０〜約９０％、４５％〜約９０％、６５％〜約９０％の範囲である。一態様では、表１に開示された香料及びこれらの立体異性体は、かかるデンプン封入体及びデンプン凝集体での使用に好適である。このようなＰＲＭ及びこれらの立体異性体は、かかるデンプン封入体及びデンプン凝集体において、組み合わせて使用され得る。
【００５５】
したがって、上記の開示に加えて、シェルと、コアと、を含む封入体であって、かかるコアは、表１の物質及びこれらの混合物からなる群から選択される物質、並びに／又は、表２の香料及びこれらの混合物からなる群から選択される香料からなるものが開示される。
【００５６】
一態様では、上で詳述された送達系の実施形態は、表１の物質１〜３５及びこれらの混合物から選択される材料を含む。
【００５７】
一態様では、上で詳述された送達系の実施形態は、表１の物質３６〜１０３及びこれらの混合物から選択される材料を含む。
【００５８】
一態様では、上で詳述された送達系の実施形態は、表２の香料１〜５及びこれらの混合物から選択される香料を含む。
【００５９】
一態様では、上で詳述された送達系の実施形態は、表２の香料１〜５から選択される香料を含む。
【００６０】
補助成分
本発明の目的のために以下に例示される補助剤の非限定的な一覧は、本発明の組成物での使用に好適であり、例えば、性能を補助若しくは向上させるために、洗浄される基材の処理のために、又は香料、着色剤、染料などを用いる場合のように組成物の審美性を変化させるために、望ましくは本発明の特定の態様に組み込むことができる。このような補助剤は、本出願人らの香料及び／又は香料系を介して供給される成分に追加されると理解される。このような追加的構成成分の正確な性質、及びそれを組み込む濃度は、組成物の物理的形態及び使用されるべき作業の性質に依存する。好適な追加材料としては、漂白活性化剤、抗菌剤、界面活性剤、ビルダー、キレート化剤、移染防止剤、分散剤、酵素及び酵素安定剤、触媒物質、漂白活性化剤、ポリマー分散剤、粘度汚れ除去／再付着防止剤、増白剤、泡抑制剤、染料、構造弾性化剤、布地柔軟剤、キャリア、ヒドロトロープ、加工助剤、並びに／又は顔料が挙げられるが、これらに限定されない。以下の開示に加えて、このような他の添加剤の好適な例及び使用濃度は、米国特許第６，３２６，３４８  Ｂ１号に見出される。
【００６１】
各補助成分は、本出願人らの組成物にとって必須ではない。したがって、本出願人らの組成物の特定の実施形態は、漂白活性化剤、抗菌剤、界面活性剤、ビルダー、キレート化剤、移染防止剤、分散剤、酵素及び酵素安定剤、触媒金属錯体、ポリマー分散剤、粘度及び汚れ除去／再付着防止剤、増白剤、泡抑制剤、染料、構造弾性化剤、布地柔軟剤、キャリア、ヒドロトロープ、加工助剤、並びに／又は顔料のうち１つ以上の補助材料を含有しない。しかしながら、１つ以上の補助剤が存在する場合、かかる１つ以上の補助剤は、以下に詳述されるように存在することができる。
【００６２】
界面活性剤−本発明による組成物は、界面活性剤又は界面活性剤系を含むことができ、界面活性剤は、非イオン性及び／若しくは陰イオン性及び／若しくは陽イオン性界面活性剤並びに／又は両性及び／若しくは双性イオン性及び／若しくは半極性非イオン性界面活性剤から選択できる。界面活性剤は、典型的には洗浄組成物の約０．１重量％から、約１重量％から、又は更には約５重量％から、洗浄組成物の約９９．９重量％まで、約８０重量％まで、約３５重量％まで、又は更には約３０重量％までの濃度で存在する。
【００６３】
ビルダー−本発明の組成物は、１つ以上の洗剤ビルダー又はビルダー系を含むことができる。存在する場合、本組成物は典型的には、少なくとも約１重量％のビルダー、又は約５重量％又は１０重量％から、約８０重量％まで、５０重量％まで、又は更には３０重量％までのこのようなビルダーを含む。ビルダーとして、ポリホスフェートのアルカリ金属、アンモニウム及びアルカノールアンモニウム塩、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−，２，４，６−トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリット酸、コハク酸、オキシジコハク酸、ポリマレイン酸、ベンゼン１，３，５−トリカルボン酸、カルボキシメチルオキシコハク酸、及びそれらの可溶性塩のようなポリカルボン酸塩、が挙げられるが、これらに限定されない。
【００６４】
キレート化剤−本明細書の組成物はまた、任意で１つ以上の銅、鉄及び／又はマンガンキレート化剤を含有してもよい。使用される場合、キレート化剤は、一般に本明細書の組成物の約０．１重量％〜約１５重量％又は更には本明細書の組成物の約３．０重量％〜約１５重量％を構成する。
【００６５】
移染防止剤−本発明の組成物はまた、１つ以上の移染防止剤を含んでもよい。適切な高分子移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、これらに限定されない。本明細書の組成物中に存在する場合、染料移動防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００６６】
分散剤−本発明の組成物はまた、分散剤を含んでよい。適切な水溶性有機材料は、ホモポリマー又はコポリマーの酸又はそれらの塩であり、それらのうちのポリカルボン酸は、互いに炭素原子２個を超えない程度に離れている少なくとも２個のカルボキシル基を含んでもよい。
【００６７】
酵素−組成物は、洗浄性能効果、及び／又は布地ケア効果を提供する１つ以上の洗浄性酵素を含むことができる。好適な酵素の例としては、限定するものではないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ及び／又はセルラーゼのような従来の適用可能な酵素をアミラーゼと組み合わせた混液である。
【００６８】
酵素安定剤−組成物において、例えば洗剤において使用するための酵素は、様々な技術によって安定化可能である本明細書に用いられる酵素は、カルシウムイオン及び／又はマグネシウムイオンを酵素に供給する、カルシウム及び／又はマグネシウムイオンの水溶性供給源を最終組成物中に存在させることによって安定化させることができる。
【００６９】
触媒金属錯体−本出願人らの組成物は、触媒金属錯体を含んでもよい。金属含有漂白剤触媒の１つの種類は、銅、鉄、チタン、ルテニウム、タングステン、モリブデン、又はマンガンのカチオンのような、規定された漂白触媒活性の遷移金属カチオン、亜鉛又はアルミニウムのカチオンのような、漂白触媒活性をほとんど又は全く有さない補助金属カチオン、並びに触媒金属及び補助金属のカチオンに対して規定された安定度定数を有する金属イオン封鎖剤、特にエチレンジアミン四酢酸、エチレンジアミンテトラ（メチレンホスホン酸）及びこれらの水溶性塩を含む触媒系である。このような触媒は、米国特許第４，４３０，２４３号に開示されている。
【００７０】
所望する場合、本明細書の組成物はマンガン化合物を用いて触媒され得る。このような化合物及び使用濃度は当技術分野にて周知であり、例えば、米国特許第５，５７６，２８２号に開示されるマンガン系触媒が挙げられる。
【００７１】
本明細書で有用なコバルト漂白剤触媒は既知である。このようなコバルト触媒は、例えば、米国特許第５，５９７，９３６号において教示されているような既知の手順によって容易に調製される。
【００７２】
本明細書の組成物はまた、「ＭＲＬ」と略される大環状剛性配位子の遷移金属錯体を好適に含むこともきる。実際には、限定目的ではないが、本明細書における組成物及び洗浄方法は、水性の洗浄媒体内において少なくともおよそ１憶分の１部の有益剤ＭＲＬ種を提供するように調整することができ、約０．００５ｐｐｍ〜約２５ｐｐｍ、約０．０５ｐｐｍ〜約１０ｐｍ、更には約０．１ｐｐｍ〜約５ｐｐｍのＭＲＬを洗浄溶液中に提供するよう調整できる。
【００７３】
本遷移金属漂白剤触媒中の好適な遷移金属としては、マンガン、鉄、及びクロムが挙げられる。本明細書における好適なＭＲＬは、架橋した特定の種類の超剛性配位子、例えば、５，１２−ジエチル−１，５，８，１２−テトラアザビシクロ［６．６．２］ヘキサデカンある。
【００７４】
好適な遷移金属ＭＲＬは、既知の手順、例えば米国特許第６，２２５，４６４号で教示されているような手順によって容易に製造される。
【００７５】
使用方法
本明細書に開示されている特定の消費者製品は、部位を、とりわけ、表面又は布地を、洗浄又は処理するために使用することができる。典型的には、この部位の少なくとも一部は、未希釈形態又は液体、例えば洗浄液に希釈されて本出願人らの組成物の実施形態と接触し、そしてその後、場合により、その部位が洗浄及び／又はすすがれてもよい。一態様では、ある部位が任意により洗浄及び／又はすすがれ、本発明による粒子に又はかかる粒子を含む組成物に接触され、次に任意により洗浄及び／又はすすがれる。本発明の目的に関して、洗浄は、こすり洗い及び機械的撹拌を含むが、これらに限定されない。布地には、通常の消費者の使用条件で洗濯又は処理することが可能である、ほとんど全ての布地が含まれ得る。開示される組成物を含み得る液体のｐＨは、約３〜約１１．５あってよい。かかる組成物は、典型的に、溶液中で約５００ｐｐｍ〜約１５，０００ｐｐｍの濃度で使用される。洗浄溶媒が水であるとき、水温は、典型的には、約５℃〜約９０℃であり、部位が布地を含むとき、水と布地との割合は、典型的には、約１：１〜約３０：１である。
【００７６】
上記開示に加えて、不快な匂い、特に、三叉神経に影響を及ぼす不快な匂い、例えば、リン酸、その塩、及びその混合物；ギ酸、その塩、及びその混合物；酢酸、その塩、及びその混合物；クエン酸、シトレート、その塩、及びその混合物；乳酸、その塩、及びその混合物；シュウ酸、その塩、及びその混合物；硫酸、その塩、及びその混合物からなる群から選択される物質に起因する不快な匂いを中和する方法であって、
ａ）部位を任意に洗浄及び／又はすすぐ工程と、
ｂ）かかる部位を、表１の物質及びこれらの混合物からなる群から選択される物質、並びに／又は、表２の香料及びこれらの混合物からなる群から選択される香料、並びに／又は、表１の物質及びこれらの混合物からなる群から選択される物質、及び／又は、表２の香料及びこれらの混合物からなる群から選択される香料を含む、香料送達系からなる群から選択される香料を含む任意の組成物に接触させる工程と、
ｃ）かかる部位を、任意に洗浄及び／又はすすぎ及び／又は乾燥する工程であって、一態様では、自然乾燥及び／又は機械乾燥する工程と、
を含む、方法が開示される。
【００７７】
試験方法
香料、ＰＲＭ、又はかかる物質を含む製品による酸のマスク度は、ヒト試験員による検査で判定できる。
【００７８】
原材料の検査には、２〜４人の官能試験員を使用し、多くのＰＲＭを迅速にスクリーニングできる。ＰＲＭを酸含有製品と組み合わせて検査し、良好に酸の匂いをマスクするかについて判定する。動的であるが一定の匂いを得るため、製品を蓋つきの小カップ内で評価し、全ての例について製品を一定時間覆い、ヘッドスペースをパージして、次の官能試験員が評価する前に、同じ時間間隔をおいて匂いを生じさせる。消費者の状況として、製品は開放系で実際に検査される。したがって、カップ内の印象を与えるため、蓋を取って評価する前に、ヘッドスペースを２分間のみ生じさせる。嗅覚が飽和し始めるのを避けるため、等級付けは２０秒間の間隔を開け、等級付けは６種のＰＲＭを１セットとして完了させる。官能試験員間の等級を比較し、２等級以上離れていた場合は再評価する。更に、盲検的に試料を元に戻し、再現性を検査する。
【００７９】
最終香料は、性能に対するより正確な消費者の印象を得るためにより大きな浴室内で検査し、また、より大きい母数の官能試験員、典型的には、３０人の官能試験員による検査についても使用する。
【００８０】
ＰＲＭ及び香料の両方について、検査の評価は０〜５の尺度で表す。
０＝酸の匂いが全くない
１＝わずかな酸の匂い
２＝酸の匂いが認識できるが不快ではない
３＝匂いを嗅いでいる間、わずかに不快
４＝匂いを嗅いでいる間、明らかに不快
５＝匂いを嗅いでいる間、非常に不快、香料を含まない製品に対して、香料／ＰＲＭの効果なし
【実施例】
【００８１】
本発明の特定の実施形態が例示され記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲にて網羅することを意図したものである。
【００８２】
実施例１
表２の香料１を、２５％及び５０％で３種類の既存の香料に加え、酸含有表面ケア製品に混合する。気流温度及び湿度が制御された浴室内で、得られた製品を噴霧する。全ての場合において、訓練された試験員３０人によって測定されるとき、実施例１の追加香料を含む香料は、酸の匂いを顕著に低下させる結果が得られた。表２の香料２〜５それぞれについて実験を繰り返し、同様の効果が得られる。
【００８３】
実施例２：８４重量％コア／１６重量％壁のメラミンホルムアルデヒド（ＭＦ）カプセル（ＰＡＤリザーバ系）
２５グラムのブチルアクリレート−アクリル酸コポリマー乳化剤（Ｃｏｌｌｏｉｄ  Ｃ３５１、２５％固形分、ｐＫａ  ４．５〜４．７（Ｋｅｍｉｒａ  Ｃｈｅｍｉｃａｌｓ，Ｉｎｃ．（Ｋｅｎｎｅｓａｗ、Ｇｅｏｒｇｉａ  Ｕ．Ｓ．Ａ．）））を脱イオン水２００グラムに溶解し、混合する。溶液のｐＨを、水酸化ナトリウム溶液ｐＨ  ４．０に調整する。８グラムの部分メチル化メチロールメラミン樹脂（Ｃｙｍｅｌ  ３８５、８０％固形分（Ｃｙｔｅｃ  Ｉｎｄｕｓｔｒｉｅｓ（Ｗｅｓｔ  Ｐａｔｅｒｓｏｎ，Ｎｅｗ  Ｊｅｒｓｅｙ，Ｕ．Ｓ．Ａ．）））を乳化剤溶液に添加する。２００グラムの表１の物質及びこれらの混合物からなる群から選択される物質、並びに／又は、表２の香料及びこれらの混合物からなる群から選択される香料（消費者製品の残部は補助成分、並びに／又は、表１の物質及びこれらの混合物からなる群から選択される物質、並びに／又は、表２の香料及びこれらの混合物からなる群から選択される香料を含む香料送達系を含む）を、機械的撹拌下で上記混合物に加え、温度を５０℃まで上昇させる。安定なエマルションが得られるまで高速で混合後、第２の溶液及び４グラムの硫酸ナトリウム塩をエマルションに加える。この第２の溶液は、１０グラムのブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ）、１２０グラムの蒸留水、ｐＨを４．８に調整するための水酸化ナトリウム溶液、２５グラムの部分メチル化メチロールメラミン樹脂（Ｃｙｍｅｌ  ３８５、８０％固形分、Ｃｙｔｅｃ）を含有する。この混合物を７０℃に加熱し、連続的に撹拌しながら一晩にわたって維持して、封入プロセスを完了させる。２３グラムのアセトアセトアミド（Ｓｉｇｍａ−Ａｌｄｒｉｃｈ）（Ｓａｉｎｔ  Ｌｏｕｉｓ，Ｍｉｓｓｏｕｒｉ，Ｕ．Ｓ．Ａ）をこの懸濁液に添加する。７８０型Ａｃｃｕｓｉｚｅｒにより分析したときに３０μｍの平均カプセルサイズを得る。
【００８４】
実施例３：製品処方−布地柔軟剤
本明細書に開示されるＰＲＭ、香料、及びアミンを含有する製品処方の非限定的な例を、以下の表に要約する。
【００８５】
【表３】
2016522275.tif 000005
ａ  Ｎ，Ｎ−ジ（タロウオイルオキシエチル）−Ｎ，Ｎ−ジメチルアンモニウムクロライド
ｂ  メチルビス（タロウアミドエチル）２−ヒドロキシエチルアンモニウムメチルサルフェート
ｃ  脂肪酸とメチルジエタノールアミンとのモル比１．５：１での反応生成物を塩化メチルで第四級化して得られる、Ｎ，Ｎ−ビス（ステアロイル−オキシ−エチル）Ｎ，Ｎ−ジメチルアンモニウムクロリドとＮ−（ステアロイル−オキシ−エチル）Ｎ−ヒドロキシエチルＮ，Ｎジメチルアンモニウムクロリドとの１：１モル混合物
ｄ  Ｎａｔｉｏｎａｌ  Ｓｔａｒｃｈから商品名ＣＡＴＯ（登録商標）で入手可能な陽イオン性高アミローストウモロコシデンプン
ｅ  表１２の香料１〜５から選択される香料
ｆ  米国特許第５，５７４，１７９号、第１５段、１〜５行目に記載の式を有する、エチレンオキシドとテレフタレートとのコポリマーであって、式中、各Ｘはメチルであり、各ｎは４０であり、ｕは４であり、各Ｒ１は本質的に１，４−フェニレン部分であり、各Ｒ２は、本質的にエチレン、１，２−プロピレン部分、又はこれらの混合物であるもの
ｇ  ＷａｃｋｅｒのＳＥ３９
ｈ  ジエチレントリアミン五酢酸
ｉ  Ｒｏｈｍ  ａｎｄ  Ｈａａｓ  Ｃｏ．から入手可能なＫＡＴＨＯＮ（登録商標）ＣＧ。「ＰＰＭ」は、「百万分の一」
ｉ  グルタルアルデヒド
ｋ  Ｄｏｗ  Ｃｏｒｎｉｎｇ  Ｃｏｒｐ．から商品名ＤＣ２３１０で入手可能なシリコーン消泡剤
ｌ  Ｒｏｈｍ  ａｎｄ  Ｈａａｓから商品名Ａｃｕｌａｎ  ４４で入手可能な疎水変性エトキシル化ウレタン
＊  本明細書に開示されているようなアミン部分を含む１種以上の材料。
†  残部
【００８６】
【表４】
2016522275.tif 000006
＊  本明細書に開示されているようなアミン部分を含む１種以上の材料。
＊＊  任意
【００８７】
【表５】
2016522275.tif 000007
＊本明細書に開示されているようなアミン部分を含む１種以上の材料。
＊＊任意
【００８８】
実施例６
列挙された成分を列挙された比率（重量％）で含むこれら下記の組成物を作製する。
【００８９】
【表６】
2016522275.tif 000008
【００９０】
これらの実施例のｐＨは７未満である。
リン酸はＪ．Ｔ．Ｂａｋｅｒから購入する。
ギ酸はＦｌｕｋａから供給される。
ＨＥＤＰはＭｏｎｓａｎｔｏから供給されるキレート化剤である。
Ｄｏｂａｎｏｌ  ９１−８は、Ｓｈｅｌｌから供給されるエトキシ化アルコール非イオン性界面活性剤である。
Ｋｅｌｚａｎ  Ｔ（登録商標）は、Ｋｅｌｃｏから供給されるキサンタンガムである。
Ｌｕｖｉｓｋｏｌ  Ｋ６０（登録商標）は、ＢＡＳＦから供給されるポリビニルピロリドンである。
香料（＊）は表２の香料１〜５からである。
【００９１】
組成物Ｉ〜ＶＩは、浸漬条件下で水垢除去性能を呈し、非イオン性界面活性剤を含む時に油脂状石鹸かすに対する洗浄性能を提供するが、典型的な不快な匂いを呈さない。
【００９２】
実施例７
列挙された成分を列挙された比率（重量％）で含むこれら下記の組成物を作製する。
【００９３】
【表７】
2016522275.tif 000009
【００９４】
【表８】
2016522275.tif 000010
【００９５】
ギ酸、クエン酸、乳酸、酢酸、シュウ酸、及び硫酸は、Ａｌｄｒｉｃｈから市販されている。
【００９６】
Ｎｅｏｄｏｌ  ９１−８（登録商標）は、ＳＨＥＬＬから市販されているＣ９〜Ｃ１１  ＥＯ８非イオン性界面活性剤である。
【００９７】
硫酸化Ｓａｆｏｌ  ２３（登録商標）は、Ｓａｓｏｌから市販されているアルコールであるＳａｆｏｌ  ２３（登録商標）をベースに、硫酸化されている、分枝状Ｃ１２〜１３硫酸界面活性剤である。
【００９８】
ラウリル硫酸ナトリウムは、Ａｌｄｒｉｃｈから市販されている直鎖状Ｃ１２〜１４硫酸塩である。
【００９９】
ｎ−ＢＰＰは、ｎ−ブトキシプロポキシプロパノールである。
【０１００】
Ｋｅｌｚａｎ  Ｔ（登録商標）は、Ｋｅｌｃｏから供給されるキサンタンガムである。
【０１０１】
ＰＶＰは、ＩＳＰ  Ｃｏｒｐｏｒａｔｉｏｎから市販されているビニルピロリドンホモポリマーである。
【０１０２】
ＳＦ  １２８８（登録商標）は、Ｍｏｍｅｎｔｉｖｅ  Ｐｅｒｆｏｒｍａｎｃｅ  Ｍａｔｅｒｉａｌｓから市販されているシリコーン−ポリエーテルコポリマーである。
【０１０３】
ＢＨＴは、ブチル化ヒドロキシトルエンである。
【０１０４】
香料＊＊は、表２の香料１〜５から、又は表１の香料原材料を含む。
【０１０５】
組成物Ｉ〜ＸＩＶは、浸漬条件下で水垢除去性能を呈し、非イオン性界面活性剤を含む時に油脂状石鹸かすに対する洗浄性能を提供するが、典型的な不快な匂いを呈さない。
【０１０６】
本明細書に開示した大きさ及び値は、記載された正確な数値に厳密に限定されるものと理解されるべきではない。むしろ、特に断らないかぎり、そのような大きさのそれぞれは、記載された値及びその値の周辺の機能的に同等の範囲の両方を意味するものとする。例えば、「４０ｍｍ」と開示された寸法は、「約４０ｍｍ」を意味するものである。
【０１０７】
「発明を実施するための形態」で引用した全ての文献は、関連部分において本明細書に参考として組み込まれるが、いずれの文献の引用も、それが本発明に関して先行技術であることを容認するものとして解釈されるべきではない。本文書での用語の任意の意味又は定義の範囲が、参照により組み込まれた文書中の同様の用語の任意の意味又は定義と矛盾する場合には、本文書中で用語に割り当てられる意味又は定義に準拠するものとする。
【０１０８】
本発明の特定の実施形態が例示され記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲にて網羅することを意図したものである。
【国際調査報告】
2016522275.tif 000011
2016522275.tif 000012